(57)【要約】【課題】処理未了の情報記憶媒体を効率良く処理する媒体処理装置を提供すること。【解決手段】媒体処理装置は、情報記憶媒体から情報を読み取る読取手段（２１９、２２０）と、情報記憶媒体に対して情報を書き込む書込手段（２１９、２２０）と、情報記憶媒体を処理する処理手段（２０１、２１９、２２０）と、前記処理手段による媒体処理途中での処理継続不能状態の発生に基づき、情報記憶媒体から読み取られた情報を含む処理未了情報を上位機器へ送信する送信手段（２２１）と、上位機器から前記処理未了情報を受信する受信手段（２２１）と、前記受信手段により受信された処理未了情報及び前記読取手段により読み取られた情報に基づく情報記憶媒体に対する前回処理の未了状態の判明に対応して、前記処理手段により情報記憶媒体に対する前回処理を完了させるとともに情報記憶媒体に対する今回処理を実行させる制御手段（２０１）とを備えている。【選択図】      図２
2006031288.tif 000002
【特許請求の範囲】
【請求項１】
情報記憶媒体から情報を読み取る読取手段と、
情報記憶媒体に対して情報を書き込む書込手段と、
前記読取手段による読み取り及び前記書込手段による書き込みにより、情報記憶媒体を処理する処理手段と、
前記処理手段による媒体処理途中での処理継続不能状態の発生に基づき、情報記憶媒体から読み取られた情報を含む処理未了情報を上位機器へ送信する送信手段と、
を備えたことを特徴とする媒体処理装置。
【請求項２】
情報記憶媒体から情報を読み取る読取手段と、
情報記憶媒体に対して情報を書き込む書込手段と、
前記読取手段による読み取り及び前記書込手段による書き込みにより、情報記憶媒体から媒体識別情報及び入出場判定必要情報を読み取り、入出場判定必要情報に基づき入出場を判定し、情報記憶媒体に対して入出場判定結果を書き込み、情報記憶媒体からの書き込み完了を受信して媒体処理を完了する処理手段と、
前記処理手段により情報記憶媒体から媒体識別情報を読み取った段階での処理継続不能状態の発生に基づき、この媒体識別情報及びこの媒体処理場所を示す場所情報を含む処理未了情報を上位機器へ送信する送信手段と、
を備えたことを特徴とする媒体処理装置。
【請求項３】
情報記憶媒体から情報を読み取る読取手段と、
情報記憶媒体に対して情報を書き込む書込手段と、
前記読取手段による読み取り及び前記書込手段による書き込みにより、情報記憶媒体から媒体識別情報及び入出場判定必要情報を読み取り、入出場判定必要情報に基づき入出場を判定し、情報記憶媒体に対して入出場判定結果を書き込み、情報記憶媒体からの書き込み完了を受信して媒体処理を完了する処理手段と、
前記処理手段により情報記憶媒体から媒体識別情報及び入出場判定必要情報を読み取った段階での処理継続不能状態の発生に基づき、この媒体識別情報、この入出場判定必要情報、及びこの媒体処理場所を示す場所情報を含む処理未了情報を上位機器へ送信する送信手段と、
を備えたことを特徴とする媒体処理装置。
【請求項４】
情報記憶媒体から情報を読み取る読取手段と、
情報記憶媒体に対して情報を書き込む書込手段と、
前記読取手段による読み取り及び前記書込手段による書き込みにより、情報記憶媒体から媒体識別情報及び入出場判定必要情報を読み取り、入出場判定必要情報に基づき入出場を判定し、情報記憶媒体に対して入出場判定結果を書き込み、情報記憶媒体からの書き込み完了を受信して媒体処理を完了する処理手段と、
前記処理手段により情報記憶媒体に対して入出場判定結果を書き込んだ段階での処理継続不能状態の発生に基づき、情報記憶媒体から読み取られた媒体識別情報及び入出場判定結果を含む処理未了情報を上位機器へ送信する送信手段と、
を備えたことを特徴とする媒体処理装置。
【請求項５】
上位機器から情報記憶媒体の処理未了情報を受信する受信手段と、
情報記憶媒体から情報を読み取る読取手段と、
情報記憶媒体に対して情報を書き込む書込手段と、
前記読取手段による読み取り及び前記書込手段による書き込みにより、情報記憶媒体を処理する処理手段と、
前記受信手段により受信された処理未了情報及び前記読取手段により読み取られた情報に基づく情報記憶媒体に対する前回処理未了の判明に対応して、前記処理手段により情報記憶媒体に対する前回処理を完了させるとともに情報記憶媒体に対する今回処理を実行させる制御手段と、
を備えたことを特徴とする媒体処理装置。
【請求項６】
上位機器から媒体識別情報及び前回の媒体処理場所を示す場所情報を含む処理未了情報を受信する受信手段と、
情報記憶媒体から情報を読み取る読取手段と、
情報記憶媒体に対して情報を書き込む書込手段と、
前記読取手段による読み取り及び前記書込手段による書き込みにより、情報記憶媒体から媒体識別情報及び入出場判定必要情報を読み取り、入出場判定必要情報に基づき入出場を判定し、情報記憶媒体に対して入出場判定結果を書き込み、情報記憶媒体からの書き込み完了を受信して媒体処理を完了する処理手段と、
前記受信手段により受信された処理未了情報に含まれる媒体識別情報及び前記読取手段により読み取られた媒体識別情報に基づき情報記憶媒体に対する前回処理の未了の判明、及びこの処理未了情報からこの情報記憶媒体に対する前回処理が情報記憶媒体から媒体識別情報を読み取った段階で中断されていることの判明に対応して、前記処理手段により処理未了情報に含まれる前回の媒体処理場所を示す場所情報を参照して前回分の入出場を判定し前回分の入出場判定結果の書き込みにより前回分の処理を完了させるとともに今回分の処理を実行させる制御手段と、
を備えたことを特徴とする媒体処理装置。
【請求項７】
上位機器から媒体識別情報及び入出場判定結果を含む処理未了情報を受信する受信手段と、
情報記憶媒体から情報を読み取る読取手段と、
情報記憶媒体に対して情報を書き込む書込手段と、
前記読取手段による読み取り及び前記書込手段による書き込みにより、情報記憶媒体から媒体識別情報及び入出場判定必要情報を読み取り、入出場判定必要情報に基づき入出場を判定し、情報記憶媒体に対して入出場判定結果を書き込み、情報記憶媒体からの書き込み完了を受信して媒体処理を完了する処理手段と、
前記受信手段により受信された処理未了情報に含まれる媒体識別情報及び前記読取手段により読み取られた媒体識別情報に基づき情報記憶媒体に対する前回処理の未了の判明、及びこの処理未了情報からこの情報記憶媒体に対する前回処理が情報記憶媒体から媒体識別情報及び入出場判定必要情報を読み取った段階で中断されていることの判明に対応して、前記処理手段により処理未了情報に含まれる前回分の入出場判定結果の書き込みにより前回分の処理を完了させるとともに、前記処理手段により今回分の処理を実行させる制御手段と、
を備えたことを特徴とする媒体処理装置。
【請求項８】
上位機器から媒体識別情報を含む処理未了情報を受信する受信手段と、
情報記憶媒体から情報を読み取る読取手段と、
情報記憶媒体に対して情報を書き込む書込手段と、
前記読取手段による読み取り及び前記書込手段による書き込みにより、情報記憶媒体から媒体識別情報及び入出場判定必要情報を読み取り、入出場判定必要情報に基づき入出場を判定し、情報記憶媒体に対して入出場判定結果を書き込み、情報記憶媒体からの書き込み完了を受信して媒体処理を完了する処理手段と、
前記受信手段により受信された処理未了情報に含まれる媒体識別情報及び前記読取手段により読み取られた媒体識別情報に基づき情報記憶媒体に対する前回処理の未了の判明、及び処理未了情報からこの情報記憶媒体に対する前回処理が情報記憶媒体に対して判定結果を書き込んだ段階で中断されていることの判明に対応して、前記処理手段により前回処理の完了を確認し、前記処理手段により今回分の処理を実行させる制御手段と、
を備えたことを特徴とする媒体処理装置。
【請求項９】
情報記憶媒体から情報を読み取る読取手段と、
情報記憶媒体に対して情報を書き込む書込手段と、
前記読取手段による読み取り及び前記書込手段による書き込みにより、情報記憶媒体を処理する処理手段と、
前記処理手段による媒体処理途中での処理継続不能状態の発生に基づき、情報記憶媒体から読み取られた情報を含む処理未了情報を上位機器へ送信する送信手段と、
上位機器から前記処理未了情報を受信する受信手段と、
前記受信手段により受信された処理未了情報及び前記読取手段により読み取られた情報に基づく情報記憶媒体に対する前回処理の未了状態の判明に対応して、前記処理手段により情報記憶媒体に対する前回処理を完了させるとともに情報記憶媒体に対する今回処理を実行させる制御手段と、
を備えたことを特徴とする媒体処理装置。
【請求項１０】
第１及び第２の媒体処理装置、及びこれら第１及び第２の媒体処理装置を管理する上位機器により構成される媒体処理システムであって、
前記第１の媒体処理装置は、
情報記憶媒体から情報を読み取る読取手段と、
情報記憶媒体に対して情報を書き込む書込手段と、
前記読取手段による読み取り及び前記書込手段による書き込みにより、情報記憶媒体を処理する処理手段と、
前記処理手段による媒体処理途中での処理継続不能状態の発生に基づき、情報記憶媒体から読み取られた情報を含む処理未了情報を上位機器へ送信する送信手段と、
を備え、
上位機器は、
前記第１の媒体処理装置から送信される処理未了情報を受信する受信手段と、
前記第２の媒体処理装置へ処理未了情報を配信する配信手段と、
を備え、
前記第２の媒体処理装置は、
前記上位機器から処理未了情報を受信する受信手段と、
情報記憶媒体から情報を読み取る読取手段と、
情報記憶媒体に対して情報を書き込む書込手段と、
前記読取手段による読み取り及び前記書込手段による書き込みにより、情報記憶媒体を処理する処理手段と、
前記受信手段により受信された処理未了情報及び前記読取手段により読み取られた情報に基づく情報記憶媒体に対する前回処理未了の判明に対応して、前記処理手段により情報記憶媒体に対する前回処理を完了させるとともに情報記憶媒体に対する今回処理を実行させる制御手段と、
を備えたことを特徴とする媒体処理システム。
【発明の詳細な説明】
【技術分野】
【０００１】
本発明は、乗車券として利用可能なＩＣカード、又は高速道路の料金収受システムに適用可能なＩＣカード等の情報記憶媒体から情報を読み取ったり、このような情報記憶媒体に対して情報を書き込んだりして、情報記憶媒体を処理する媒体処理装置及び媒体処理システムに関する。
【背景技術】
【０００２】
例えば、鉄道関係において、改札の省力化を目的として、自動改札機が導入されている。自動改札機は、施設の入場口或いは出場口などに設けられ、施設を利用する利用者が施設に入場或いは施設から出場する際、又は乗り換えを行なう際に、利用者が携帯する乗車券を取り込んで、乗車券に記録された情報を読み取り、入出場の可否判定を行なう。具体的に、自動改札機は、利用者により投入される乗車券を取り込み、乗車券の片面（裏面）に記録されている磁気情報（例えば入場駅情報や有効な運賃額）を読み取り、この読み取った情報に基づいて入出場の可否判定を行なう。判定の結果に基づき、例えば乗車券に対して必要情報を記録し乗車券を返却するとともに利用者の通過を許可したり、利用者の通過を阻止したりする。
【０００３】
近年は、上記したような磁気式の乗車券の替わりとなる無線ＩＣカードが普及し、これに対応して磁気式の乗車券及び無線ＩＣカードの両者を処理することが可能な自動改札機が登場している。例えば、無線ＩＣカードには、定期券の機能を備えたもの、ＳＦカードの機能を備えたもの、定期券とＳＦカードの両機能を備えたものがある。定期券とＳＦカードの両機能を備えた無線ＩＣカードを利用すれば、例えば定期区間を乗り越した場合でも、自動改札機による自動精算処理を受けることができ、従来のような精算機による精算処理（精算待ち）を受ける必要がなくなる。
【０００４】
一方で、このような無線ＩＣカードに対応した自動改札機によるカード処理時には、利用者により翳される無線カードとの間でデータの授受が行なわれる関係上、交信状態が不安定になることがあり、データ授受が途中で途絶えて処理未了が発生するという問題があった。このような問題に対して、データ授受の不調により処理未了となったカードの再翳しに対して２度引きを防止する技術が提案されている（特許文献１及び特許文献２参照）。
【特許文献１】特開２００１−２８３２６５
【特許文献２】特開２００１−３２５６２２
【発明の開示】
【発明が解決しようとする課題】
【０００５】
上記特許文献に開示された技術により２度引きはある程度防止できるものの、処理未了の無線ＩＣカードで利用者が入出場してしまった場合の対策は十分ではない。つまり、無線ＩＣカード対応の自動改札機は、無線ＩＣカード毎に異なるカード特性や、利用者による無線ＩＣカードの翳し方などに起因して、無線ＩＣカードに対する処理時間が通常よりも長くなってしまうことがある。このような場合でも、利用者は、無縁ＩＣカードに対する処理が適切に実行されたものと誤認したまま、改札通路を通過してしまうことがある。つまり、処理未了の無線ＩＣカードが持ち去られてしまうことになる。
【０００６】
自動改札機は、処理未了の無線ＩＣカードによる改札処理を許可しない。しかし、利用者は、不正利用等の意識がないため、処理未了の無線ＩＣカードにより改札処理を受けようとしてしまう。その結果、自動改札機により通行が阻止されてしまうことになり、改札通路の混雑を招くことになる。このように、処理未了の無線ＩＣカードは自動改札機で利用することはできず、一旦、係員対応による係員用端末により適正処理を受けなければならない。
【０００７】
本発明の目的は、上記課題を解決するためになされたものであり、処理未了の情報記憶媒体を効率良く処理することが可能な媒体処理装置及び媒体処理システムを提供することにある。
【課題を解決するための手段】
【０００８】
この発明の媒体処理装置及び媒体処理システムは、以下のように構成されている。
【０００９】
この発明の媒体処理装置は、情報記憶媒体から情報を読み取る読取手段と、情報記憶媒体に対して情報を書き込む書込手段と、前記読取手段による読み取り及び前記書込手段による書き込みにより、情報記憶媒体を処理する処理手段と、前記処理手段による媒体処理途中での処理継続不能状態の発生に基づき、情報記憶媒体から読み取られた情報を含む処理未了情報を上位機器へ送信する送信手段とを備えている。
【００１０】
この発明の媒体処理装置は、上位機器から情報記憶媒体の処理未了情報を受信する受信手段と、情報記憶媒体から情報を読み取る読取手段と、情報記憶媒体に対して情報を書き込む書込手段と、前記読取手段による読み取り及び前記書込手段による書き込みにより、情報記憶媒体を処理する処理手段と、前記受信手段により受信された処理未了情報及び前記読取手段により読み取られた情報に基づく情報記憶媒体に対する前回処理未了の判明に対応して、前記処理手段により情報記憶媒体に対する前回処理を完了させるとともに情報記憶媒体に対する今回処理を実行させる制御手段とを備えている。
【００１１】
この発明の媒体処理システムは、第１及び第２の媒体処理装置、及びこれら第１及び第２の媒体処理装置を管理する上位機器により構成される媒体処理システムであって、前記第１の媒体処理装置は、情報記憶媒体から情報を読み取る読取手段と、情報記憶媒体に対して情報を書き込む書込手段と、前記読取手段による読み取り及び前記書込手段による書き込みにより、情報記憶媒体を処理する処理手段と、前記処理手段による媒体処理途中での処理継続不能状態の発生に基づき、情報記憶媒体から読み取られた情報を含む処理未了情報を上位機器へ送信する送信手段とを備え、上位機器は、前記第１の媒体処理装置から送信される処理未了情報を受信する受信手段と、前記第２の媒体処理装置へ処理未了情報を配信する配信手段とを備え、前記第２の媒体処理装置は、前記上位機器から処理未了情報を受信する受信手段と、情報記憶媒体から情報を読み取る読取手段と、情報記憶媒体に対して情報を書き込む書込手段と、前記読取手段による読み取り及び前記書込手段による書き込みにより、情報記憶媒体を処理する処理手段と、前記受信手段により受信された処理未了情報及び前記読取手段により読み取られた情報に基づく情報記憶媒体に対する前回処理未了の判明に対応して、前記処理手段により情報記憶媒体に対する前回処理を完了させるとともに情報記憶媒体に対する今回処理を実行させる制御手段とを備えている。
【発明の効果】
【００１２】
本発明によれば、処理未了の情報記憶媒体を効率良く処理することが可能な媒体処理装置及び媒体処理システムを提供できる。
【発明を実施するための最良の形態】
【００１３】
以下、図面を参照し、本発明の実施形態について説明する。本発明の媒体処理システムは、鉄道などの交通機関に設置される改札処理を担う改札処理システムに適用可能である。或いは、本発明の媒体処理システムは、高速道路の料金収受を担う料金収受システムに適用可能である。以下、説明を分かりやすくするために、本発明の媒体処理システムを、改札処理システムに適用した場合について説明する。
【００１４】
図１は、この発明の一例に係る改札処理システム（媒体処理システム）の概略構成を示す図である。
【００１５】
図１に示すように、改札処理システムは、上位機器としてのホスト１、第１の駅の入出場口に設けられた複数の自動改札機２（媒体処理装置）、及び第２の駅の入出場口に設けられた複数の自動改札機２（媒体処理装置）により構成されている。ホスト１は、制御部１０１、記憶部１０２、及び通信部１０３を備えている。
【００１６】
図２は、この発明の一例に係る自動改札機２（媒体処理装置）の概略構成を示す図である。
【００１７】
図２に示すように、自動改札機２は、ＣＰＵ２０１、ＲＯＭ２０２、ＲＡＭ２０３、運賃メモリ２０４、読取回路２０５、読取ヘッド２０６、書込回路２０７、書込ヘッド２０８、乗車券検知回路２０９、検知器２１０、搬送制御回路２１１、搬送用モータ２１２、ドア制御回路２１３、ドア開閉機構２１４、人間検知器制御回路２１５、人間検知器２１６、表示制御回路２１７、表示器２１８、無線リーダ／ライタ２１９、無線送受信アンテナ２２０、及び伝送制御回路２２１を備えている。
【００１８】
自動改札機２は、ＣＰＵ２０１により全体が制御される。また、このＣＰＵ２０１は、乗車券媒体から読み取られた情報に基づき改札許可／不許可を判定する。ＲＯＭ２０２は、ＣＰＵ２０１の制御プログラム等を記憶する。ＲＡＭ２０３は、乗車券媒体（情報記憶媒体）から読み取った情報の記憶するとともに、制御プログラムのバッファとして機能する。運賃メモリ２０４は、各駅からこの自動改札機の設置駅までの区間情報及び運賃情報を記憶する。読取回路２０５は、読取ヘッド２０６を制御し乗車券媒体に記憶された情報を読み取る。書込回路２０７は、書込ヘッド２０８を制御し乗車券媒体に対して情報を書き込む。乗車券検知回路２０９は、検知器２１０からの媒体検知信号に基づき乗車券媒体の搬送状態を検知する。搬送制御回路２１１は、乗車券媒体を搬送する搬送用モータ２１２の駆動を制御する。ドア制御回路２１３は、ＣＰＵ２０１による改札判定結果に基づきドア開閉機構２１４の駆動を制御し、利用者の通行を許可したり阻止したりする。人間検知器制御回路２１５は、人間検知器２１６からの人間検知信号に基づき改札通路上の利用者の動きを検知する。表示制御回路２１７は、例えば改札判定結果に応じて表示器２１８の表示を制御する。無線リーダ／ライタ２１９は、無線送受信アンテナ２２０を介して、無線ＩＣカード（情報記憶媒体）に記憶された情報を読み取ったり、無線ＩＣカードに対して情報を書き込んだりする。伝送制御回路２２１は、ホスト１に対して情報を送信したり、ホスト１からの情報を受信したりする。
【００１９】
なお、上記説明では、磁気券及び無線ＩＣカードの両方を処理可能な自動改札機について説明したが、例えば無線ＩＣカードだけの処理が可能な自動改札機であってもよい。無線ＩＣカードだけの処理が可能な自動改札機は、ＣＰＵ２０１、ＲＯＭ２０２、ＲＡＭ２０３、運賃メモリ２０４、ドア制御回路２１３、ドア開閉機構２１４、人間検知器制御回路２１５、人間検知器２１６、表示制御回路２１７、表示器２１８、無線リーダ／ライタ２１９、無線送受信アンテナ２２０、及び伝送制御回路２２１を備えている。
【００２０】
図３は、無線ＩＣカードを利用した自動改札機２による改札処理（正常処理）の一例を示す図である。
【００２１】
図３に示すように、起動中（改札処理受付中）の自動改札機２（端末）は、無線送受信アンテナ２２０を介して、応答要求信号（ポーリング）と共に端末識別情報（自動改札機（自機器）の識別情報）を出力している（ＳＴ１）。利用者が、自動改札機２の無線送受信アンテナ２２０に対して無線ＩＣカードを翳すと、無線ＩＣカードは自動改札機２からの応答要求信号及び端末識別情報（自動改札機の識別情報）を受信し、応答信号を送信する。具体的には、無線ＩＣカードは、応答信号として、利用者ＩＤ（媒体識別情報）及び受信した端末識別情報（自動改札機の識別情報）を送信する（ＳＴ２）。
【００２２】
自動改札機２は、無線送受信アンテナ２２０を介してこれら情報を受信し、自動改札機２及び無線ＩＣカードの間で相互認証処理が行なわれ、自動改札機２は、無線送受信アンテナ２２０を介してリードコマンドを送信する（ＳＴ３）。つまり、自動改札機２は、無線ＩＣカードに記憶された各種情報を要求する。無線ＩＣカードは、リードコマンドを受信し、入出場履歴情報（前回どの駅から入場したのか／前回どの駅で出場したのかを示す情報）、有効期間情報、有効乗車区間情報、及び金額情報（残額情報）等の入出場判定必要情報を送信する（ＳＴ４）。なお、有効期間情報及び有効乗車区間情報は、無線ＩＣカードが定期券の機能を備えている場合に、無線ＩＣカードに記憶されている情報である。また、金額情報は、無線ＩＣカードがＳＦカードの機能を備えている場合に、無線ＩＣカードに記憶されている情報である。自動改札機２は、無線送受信アンテナ２２０を介してこの入出場判定必要情報を受信し、自動改札機２（ＣＰＵ２０１）は、入出場判定必要情報に基づき、この無線ＩＣカードによる入出場を判定する。
【００２３】
自動改札機２（ＣＰＵ２０１）が入出場を許可する場合は、自動改札機２は無線送受信アンテナ２２０を介してライトデータ（入出場判定結果）を送信する（ＳＴ５）。例えば、入場口における改札判定時には、入場情報（入場駅を示す情報及び入場時刻を示す情報）をライトデータとして送信する。出場口における改札判定時には、出場情報（出場駅を示す情報及び出場時刻を示す情報）をライトデータとして送信する。さらに、出場口における改札判定時には、必要に応じて（有効乗車区間外の乗車がある場合）金額情報から区間外乗車分の運賃を差し引いた残額情報を送信する。無線ＩＣカードは、ライトデータを受信し、ライトデータを書き込む（ライトデータを記憶する）。無線ＩＣカードは、ライトデータの書き込みが完了すると、書き込み完了を送信する（ＳＴ６）。自動改札機２は、無線送受信アンテナ２２０を介して書き込み完了を受信し、伝送制御回路２２１を介してホスト１へ処理完了を報告する（１件明細データを送信する）（ＳＴ７）。以上により、改札処理が正常に完了する。
【００２４】
次に、図４〜図６を参照して、改札処理が正常に完了しないケース、所謂処理未了のケースについて説明する。図４は、第１の処理未了のケースを説明する図である。図５は、第２の処理未了のケースを説明する図である。図６は、第３の処理未了のケースを説明する図である。
【００２５】
まず図４を参照して、第１の処理未了のケースについて説明する。図４に示すように、起動中（改札処理受付中）の自動改札機２（端末）は、無線送受信アンテナ２２０を介して応答要求信号（ポーリング）と共に端末識別情報（自動改札機（自機器）の識別情報）を出力している（ＳＴ１）。利用者が、自動改札機２の無線送受信アンテナ２２０に対して無線ＩＣカードを翳すと、無線ＩＣカードは自動改札機２からの応答要求信号及び端末識別情報（自動改札機の識別情報）を受信し、応答信号を送信する。具体的には、無線ＩＣカードは、応答信号として、利用者ＩＤ（媒体識別情報）及び受信した端末識別情報（自動改札機の識別情報）を送信する（ＳＴ２）。
【００２６】
自動改札機２は、無線送受信アンテナ２２０を介してこれら情報を受信し、自動改札機２及び無線ＩＣカードの間で相互認証処理が行なわれ、自動改札機２は、無線送受信アンテナ２２０を介してリードコマンドを送信する（ＳＴ３）。つまり、自動改札機２は、無線ＩＣカードに記憶された各種情報を要求する。本来、無線ＩＣカードは、リードコマンドを受信し、入出場履歴情報（前回どの駅から入場したのか／前回どの駅で出場したのかを示す情報）、有効期間情報、有効乗車区間情報、及び金額情報（残額情報）等の入出場判定必要情報を送信する（ＳＴ４）。しかし、既に無線ＩＣカードが利用者により持ち去られるなどしている場合、無線ＩＣカードがリードコマンドを受信できなかったり、リードコマンドは受信したが返信できなかったりすることがある。このような処理継続不能状態の発生に基づき、第１の処理未了が発生する。
【００２７】
第１の処理未了発生時には、自動改札機２は、無線ＩＣカードからの利用者ＩＤ及び端末識別情報（自動改札機の識別情報）は受信している。自動改札機２は、受信済みのこれら情報（利用者ＩＤ及び端末識別情報）を含む第１の処理未了情報をホスト１へ送信する。
【００２８】
ホスト１は、通信部１０３を介して、第１の処理未了情報を受信し、記憶部１０２に記憶する。ホスト１は、第１の処理未了情報に含まれる端末識別情報（自動改札機の識別情報）に基づき、利用場所（処理未了が発生した駅）を特定し、利用者ＩＤ及び利用場所情報を含む第１の処理未了情報を各自動改札機２へ送信する。
【００２９】
第１の処理未了情報を受信した自動改札機２も、上記したように、無線送受信アンテナ２２０を介して、応答要求信号（ポーリング）と共に端末識別情報（自動改札機（自機器）の識別情報）を出力している。利用者が、自動改札機２の無線送受信アンテナ２２０に対して無線ＩＣカードを翳すと、無線ＩＣカードは自動改札機２からの応答要求信号及び端末識別情報（自動改札機の識別情報）を受信し、応答信号を送信する。具体的には、無線ＩＣカードは、応答信号として、利用者ＩＤ（媒体識別情報）及び受信した端末識別情報（自動改札機の識別情報）を送信する。
【００３０】
自動改札機２（第１の処理未了情報を受信した自動改札機２）は、無線送受信アンテナ２２０を介してこれら情報を受信し、自動改札機２及び無線ＩＣカードの間で相互認証処理が行なわれる。このとき、自動改札機２は、ホストから受信した第１の処理未了情報に含まれる利用者ＩＤと、無線ＩＣカードから受信した利用者ＩＤとを比較し、この無線ＩＣカードが処理未了に該当するか否かを判定する。自動改札機２は、この無線ＩＣカードが処理未了に該当しないと判定すると、上記したように改札処理（正常処理）が進められる。自動改札機２は、この無線ＩＣカードが処理未了に該当すると判定すると、無線送受信アンテナ２２０を介して第１の処理未了に対応したリードコマンドを送信する。つまり、自動改札機２は、無線ＩＣカードに記憶された前回の改札処理に必要な各種情報及び今回の改札処理に必要な各種情報を要求する。無線ＩＣカードは、第１の処理未了に対応したリードコマンドを受信し、入出場履歴情報（前回（処理未了分が１回あるので実際には前々回を意味する）どの駅から入場したのか／前回（処理未了分が１回あるので実際には前々回を意味する）どの駅で出場したのかを示す情報）、有効期間情報、有効乗車区間情報、及び金額情報（残額情報）等の入出場判定必要情報を送信する。自動改札機２は、無線送受信アンテナ２２０を介してこの入出場判定必要情報を受信し、自動改札機２（ＣＰＵ２０１）は、入出場判定必要情報に基づき、この無線ＩＣカードによる前回入出場及び今回入出場を判定する。
【００３１】
つまり、自動改札機２（第１の処理未了情報を受信した自動改札機２）は、第１の処理未了情報に含まれる利用場所情報（前回処理未了が発生した駅）及び入出場判定必要情報に基づき前回入出場を判定し、さらに利用場所情報（前回処理未了が発生した駅）及び入出場判定必要情報に基づき今回入出場を判定する。自動改札機２は、前回入出場及び今回入出場を許可する場合に、無線送受信アンテナ２２０を介してライトデータ（前回入出場判定結果及び今回入出場判定結果）を送信する。無線ＩＣカードは、ライトデータを受信し、ライトデータを書き込む（ライトデータを記憶する）。無線ＩＣカードは、ライトデータの書き込みが完了すると、書き込み完了を送信する。自動改札機２は、無線送受信アンテナ２２０を介して書き込み完了を受信し、伝送制御回路２２１を介してホスト１へ処理完了を報告する。以上により、前回分の改札処理と今回分の改札処理が正常に完了する。つまり、前回分の改札処理については、無線ＩＣカードの利用者が特に意識することなく完了させることができる。
【００３２】
続いて図５を参照して、第２の処理未了のケースについて説明する。図５に示すように、起動中（改札処理受付中）の自動改札機２（端末）は、無線送受信アンテナ２２０を介して応答要求信号（ポーリング）と共に端末識別情報（自動改札機（自機器）の識別情報）を出力している（ＳＴ１）。利用者が、自動改札機２の無線送受信アンテナ２２０に対して無線ＩＣカードを翳すと、無線ＩＣカードは自動改札機２からの応答要求信号及び端末識別情報（自動改札機の識別情報）を受信し、応答信号を送信する。具体的には、無線ＩＣカードは、応答信号として、利用者ＩＤ（媒体識別情報）及び受信した端末識別情報（自動改札機の識別情報）を送信する（ＳＴ２）。
【００３３】
自動改札機２は、無線送受信アンテナ２２０を介してこれら情報を受信し、自動改札機２及び無線ＩＣカードの間で相互認証処理が行なわれ、自動改札機２は、無線送受信アンテナ２２０を介してリードコマンドを送信する（ＳＴ３）。つまり、自動改札機２は、無線ＩＣカードに記憶された各種情報を要求する。無線ＩＣカードは、リードコマンドを受信し、入出場履歴情報（前回どの駅から入場したのか／前回どの駅で出場したのかを示す情報）、有効期間情報、有効乗車区間情報、及び金額情報（残額情報）等の入出場判定必要情報を送信する（ＳＴ４）。自動改札機２は、無線送受信アンテナ２２０を介してこの入出場判定必要情報を受信する。このタイミングで無線ＩＣカードが利用者により持ち去られるなどすると、この後の処理が継続できない。このような処理継続不能状態の発生に基づき、第２の処理未了が発生する。
【００３４】
第２の処理未了発生時には、自動改札機２は、無線ＩＣカードからの利用者ＩＤ及び端末識別情報（自動改札機の識別情報）は受信している。さらに、自動改札機２は、無線ＩＣカードから入出場判定必要情報も受信している。自動改札機２は、受信済みのこれら情報（利用者ＩＤ、端末識別情報、入出場判定必要情報）を含む第２の処理未了情報をホスト１へ送信する。
【００３５】
ホスト１は、通信部１０３を介して、第２の処理未了情報を受信し、記憶部１０２に記憶する。さらに、ホスト１は、第２の処理未了情報に含まれる端末識別情報（自動改札機の識別情報）に基づき利用場所（処理未了が発生した駅）を特定し、第２の処理未了情報に含まれる入出場判定必要情報から改札可否を判定する。ホスト１は、利用者ＩＤ及び改札可否判定結果を含む第２の処理未了情報を各自動改札機２へ送信する。
【００３６】
第２の処理未了情報を受信した自動改札機２も、上記したように、無線送受信アンテナ２２０を介して、応答要求信号（ポーリング）と共に端末識別情報（自動改札機（自機器）の識別情報）を出力している。利用者が、自動改札機２の無線送受信アンテナ２２０に対して無線ＩＣカードを翳すと、無線ＩＣカードは自動改札機２からの応答要求信号及び端末識別情報（自動改札機の識別情報）を受信し、応答信号を送信する。具体的には、無線ＩＣカードは、応答信号として、利用者ＩＤ（媒体識別情報）及び受信した端末識別情報（自動改札機の識別情報）を送信する。
【００３７】
自動改札機２（第２の処理未了情報を受信した自動改札機２）は、無線送受信アンテナ２２０を介してこれら情報を受信し、自動改札機２及び無線ＩＣカードの間で相互認証処理が行なわれる。このとき、自動改札機２は、ホストから受信した第２の処理未了情報に含まれる利用者ＩＤと、無線ＩＣカードから受信した利用者ＩＤとを比較し、この無線ＩＣカードが処理未了に該当するか否かを判定する。自動改札機２は、この無線ＩＣカードが処理未了に該当しないと判定すると、上記したように改札処理（正常処理）が進められる。自動改札機２は、この無線ＩＣカードが処理未了に該当し前回入出場不許可判定の場合にはドアを閉じて通行を阻止し係員対応であることを案内とする。自動改札機２は、この無線ＩＣカードが処理未了に該当し前回入出場許可判定の場合には、続けて今回入出場判定を行ない、無線送受信アンテナ２２０を介してライトデータ（第２の処理未了情報に含まれる判定結果（前回分の入出場判定結果）及び今回分の入出場判定結果）を送信する。無線ＩＣカードは、ライトデータを受信し、ライトデータを書き込む（ライトデータを記憶する）。無線ＩＣカードは、ライトデータの書き込みが完了すると、書き込み完了を送信する。自動改札機２は、無線送受信アンテナ２２０を介して書き込み完了を受信し、伝送制御回路２２１を介してホスト１へ処理完了を報告する。以上により、前回分の改札処理と今回分の改札処理が正常に完了する。つまり、前回分の改札処理については、無線ＩＣカードの利用者が特に意識することなく完了させることができる。
【００３８】
続いて図６を参照して、第３の処理未了のケースについて説明する。図６に示すように、起動中（改札処理受付中）の自動改札機２（端末）は、無線送受信アンテナ２２０を介して応答要求信号（ポーリング）と共に端末識別情報（自動改札機（自機器）の識別情報）を出力している（ＳＴ１）。利用者が、自動改札機２の無線送受信アンテナ２２０に対して無線ＩＣカードを翳すと、無線ＩＣカードは自動改札機２からの応答要求信号及び端末識別情報（自動改札機の識別情報）を受信し、応答信号を送信する。具体的には、無線ＩＣカードは、応答信号として、利用者ＩＤ（媒体識別情報）及び受信した端末識別情報（自動改札機の識別情報）を送信する（ＳＴ２）。
【００３９】
自動改札機２は、無線送受信アンテナ２２０を介してこれら情報を受信し、自動改札機２及び無線ＩＣカードの間で相互認証処理が行なわれ、自動改札機２は、無線送受信アンテナ２２０を介してリードコマンドを送信する（ＳＴ３）。つまり、自動改札機２は、無線ＩＣカードに記憶された各種情報を要求する。無線ＩＣカードは、リードコマンドを受信し、入出場履歴情報（前回どの駅から入場したのか／前回どの駅で出場したのかを示す情報）、有効期間情報、有効乗車区間情報、及び金額情報（残額情報）等の入出場判定必要情報を送信する（ＳＴ４）。自動改札機２は、無線送受信アンテナ２２０を介してこの入出場判定必要情報を受信し、自動改札機２（ＣＰＵ２０１）は、入出場判定必要情報に基づき、この無線ＩＣカードによる入出場を判定する。
【００４０】
自動改札機２（ＣＰＵ２０１）が入出場を許可する場合は、自動改札機２は無線送受信アンテナ２２０を介してライトデータ（入出場判定結果）を送信する（ＳＴ５）。無線ＩＣカードは、ライトデータを受信し、ライトデータを書き込む（ライトデータを記憶する）。このタイミングで無線ＩＣカードが利用者により持ち去られるなどすると、この後の処理が継続できない。つまり、自動改札機２が書き込み完了を受信できない。このような処理継続不能状態の発生に基づき、第３の処理未了が発生する。
【００４１】
第３の処理未了発生時には、自動改札機２は、無線ＩＣカードからの利用者ＩＤ及び端末識別情報（自動改札機の識別情報）は受信している。さらに、自動改札機２は、無線ＩＣカードから入出場判定必要情報も受信しており、また、入出場判定も下している。さらに、無線ＩＣカードには、ライトデータ（入出場判定結果）も書き込まれている可能性が高い。よって、自動改札機２は、利用者ＩＤ及び入出場判定結果を含む第３の処理未了情報をホスト１へ送信する。
【００４２】
ホスト１は、通信部１０３を介して、第３の処理未了情報を受信し、記憶部１０２に記憶する。ホスト１は、利用者ＩＤ及び入出場判定結果を含む第３の処理未了情報を各自動改札機２へ送信する。或いは、ホスト１は、利用者ＩＤだけを含む第３の処理未了情報を各自動改札機２へ送信する。
【００４３】
第３の処理未了情報を受信した自動改札機２も、上記したように、無線送受信アンテナ２２０を介して、応答要求信号（ポーリング）と共に端末識別情報（自動改札機（自機器）の識別情報）を出力している。利用者が、自動改札機２の無線送受信アンテナ２２０に対して無線ＩＣカードを翳すと、無線ＩＣカードは自動改札機２からの応答要求信号及び端末識別情報（自動改札機の識別情報）を受信し、応答信号を送信する。具体的には、無線ＩＣカードは、応答信号として、利用者ＩＤ（媒体識別情報）及び受信した端末識別情報（自動改札機の識別情報）を送信する。
【００４４】
自動改札機２（第３の処理未了情報を受信した自動改札機２）は、無線送受信アンテナ２２０を介してこれら情報を受信し、自動改札機２及び無線ＩＣカードの間で相互認証処理が行なわれる。このとき、自動改札機２は、ホストから受信した第３の処理未了情報に含まれる利用者ＩＤと、無線ＩＣカードから受信した利用者ＩＤとを比較し、この無線ＩＣカードが処理未了に該当するか否かを判定する。自動改札機２は、この無線ＩＣカードが処理未了に該当しないと判定すると、上記したように改札処理（正常処理）が進められる。自動改札機２は、この無線ＩＣカードが処理未了に該当すると判定すると、前回処理時のライトデータの書き込み完了を確認する。自動改札機２は、前回処理時のライトデータの書き込みが完了していることを確認して、今回入出場判定を行ない、無線送受信アンテナ２２０を介してライトデータ（今回分の入出場判定結果）を送信する。無線ＩＣカードは、ライトデータを受信し、ライトデータを書き込む（ライトデータを記憶する）。無線ＩＣカードは、ライトデータの書き込みが完了すると、書き込み完了を送信する。自動改札機２は、無線送受信アンテナ２２０を介して書き込み完了を受信し、伝送制御回路２２１を介してホスト１へ処理完了を報告する。以上により、前回分の改札処理と今回分の改札処理が正常に完了する。つまり、前回分の改札処理については、無線ＩＣカードの利用者が特に意識することなく完了させることができる。
【００４５】
上記説明した本発明について以下の通りまとめる。
【００４６】
本発明によれば、端末利用時の無線ＩＣカードの処理未了データをホスト管理し、次回端末利用時にリカバリ処理を行なう。これにより、スムーズな利用が可能とする。
【００４７】
さらに詳述すると、本発明によれば、端末利用時の処理未了を示す処理未了情報をホスト管理し、各端末に処理未了情報を配信する。処理未了情報を配信する端末は、全端末であってもよいし、所定のエリアの端末だけに限定してもよい。また、配信した処理未了情報の有効期限（時間）を設定することもできる。例えば、無線ＩＣカードから読み取られた入出場履歴や有効乗車区間情報などから、処理未了情報の配信エリアを設定することができる。
【００４８】
端末利用時には1件毎に明細データが作成されホストへ送信されるが、処理未了発生時には明細データがホストへ送信されてこないため、明細不一致として管理される。次回端末利用時に、リカバリ処理より復旧した時は、前回、今回の明細データ2件分のデータをあわせて作成することで、不一致を解決する。処理未了時の各段階により、配信する情報量を変えることで、ホスト側の負荷を減らすことができる。
【００４９】
つまり、上記した第１の処理未了のケースでは、ホスト側で改札判定することはできない。よって、ホストは各端末に対して利用者ＩＤ及び利用場所情報のみを配信する。利用者による次回端末利用時には、無線ＩＣカードに対する改札判定必要情報の取得処理から開始し、前回分及び今回分の改札判定をあわせて行なう。
【００５０】
また、上記した第２の処理未了のケースでは、ホスト側で改札判定可能なため、ホストは各端末に対して利用者ＩＤ及び判定結果を配信する。利用者による次回端末利用時には、自動改札機は前回分の判定結果の書き込みと今回分の改札判定処理とをあわせて実行する。
【００５１】
また、上記した第３の処理未了のケースでは、改札判定済みなので、ホストは各端末に対して利用者ＩＤのみを配信する。利用者による次回端末利用時には、処理未了情報に含まれる利用者ＩＤにより前回分の判定結果を照合し、確かに前回分の判定結果が無線ＩＣカードに記録されていることが確認されれば、今回分の改札判定処理だけを行なう。
【００５２】
例えば、入場改札時には、入場時の処理未了情報をホスト側で管理し、出場機（出場用自動改札機）の各端末に情報を送る。処理未了情報を配信する端末は、全出場機であってもよいし、所定のエリアの出場機だけに限定してもよい。また、配信した処理未了情報の有効期限（時間）を設定することもできる。利用者による出場改札時は、利用者ＩＤの照合に基づき、前回分の入場時処理未了部分の処理と今回分の出場処理を行なう。ホスト側データ（入場処理未了情報）は当日またはある一定時間で消去される。
【００５３】
出場改札時には、出場時の処理未了情報をホスト側で管理し、入場機（入場用自動改札機）の各端末に情報を送る。処理未了情報を配信する端末は、全入場機であってもよいし、所定のエリアの入場機だけに限定してもよい。また、配信した処理未了情報の有効期限（時間）を設定することもできる。利用者による入場改札時は、利用者ＩＤの照合に基づき、前回分の出場時処理未了部分の処理と今回分の入場処理を行なう。ホスト側データ（出場処理未了情報）は当日またはある一定時間で消去される。
【００５４】
以上説明したように、本発明によれば、処理未了無線ＩＣカードの後処理を、窓口別処理でなく利用者が次回端末を使用することにより自動的に行なうことができ、スムーズな運用が可能となる。
【００５５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５６】
【図１】この発明の一例に係る改札処理システム（媒体処理システム）の概略構成を示す図である。
【図２】この発明の一例に係る自動改札機（媒体処理装置）の概略構成を示す図である。
【図３】無線ＩＣカードを利用した自動改札機による改札処理（正常処理）の一例を示す図である。
【図４】第１の処理未了のケースを説明する図である。
【図５】第２の処理未了のケースを説明する図である。
【図６】第３の処理未了のケースを説明する図である。
【符号の説明】
【００５７】
１…ホスト、２…自動改札機、１０１…制御部、１０２…記憶部、１０３…通信部、２０１…ＣＰＵ、２０２…ＲＯＭ、２０３…ＲＡＭ、２０４…運賃メモリ、２０５…読取回路、２０６…読取ヘッド、２０７…書込回路、２０８…書込ヘッド、２０９…乗車券検知回路、２１０…検知器、２１１…搬送制御回路、２１２…搬送用モータ、２１３…ドア制御回路、２１４…ドア開閉機構、２１５…人間検知器制御回路、２１６…人間検知器、２１７…表示制御回路、２１８…表示器、２１９…無線リーダ／ライタ、２２０…無線送受信アンテナ、２２１…伝送制御回路
【図１】
2006031288.tif 000003
【図２】
2006031288.tif 000004
【図３】
2006031288.tif 000005
【図４】
2006031288.tif 000006
【図５】
2006031288.tif 000007
【図６】
2006031288.tif 000008